(57)【要約】  【課題】  本発明は、室内照明灯を点灯又は消灯する室内照明灯スイッチボタンを保護するスイッチカバー内に、平常時又は非常時に照明ランプを設置して、一般停電時や火災、地震などの非常停電時に室内を非常照明できるスイッチカバーの非常照明装置を開示する。  【解決手段】  本発明は、前面の上部に天井などに設置される室内照明灯を点灯又は消灯する室内照明灯スイッチボタン１１が前面に少なくとも一個以上設置されるスイッチカバー１０内の少なくとも一面以上に照明ランプ１２を設置する同時に、その設置面に前記照明ランプ１２の光が透過できる透明窓１３を設置する。スイッチカバー１４の前面の下部に前記照明ランプ１２を点灯又は消灯させる照明ランプスイッチボタン１４を設置し、スイッチカバー１０内に充電乾電池１６を含んだ制御回路を搭載した回路基板１５を設置することを特徴とする。【選択図】図２
2005032729.tif 000002
【特許請求の範囲】
【請求項１】
前面の上部の天井などに設置される室内照明灯を点灯又は消灯する室内照明灯スイッチボタン１１が前面に少なくとも一個以上設置されるスイッチカバー１０内の少なくとも一面以上に照明ランプ１２を設置する同時に、その設置面に前記照明ランプ１２の光が透過できるように透明窓１３を設置する。スイッチカバー１０の前面の下部に前記照明ランプ１２を点灯又は消灯させる照明ランプスイッチボタン１４を設置し、スイッチカバー１０内に充電乾電池１６を含んだ制御回路を搭載した回路基板１５を設置することを特徴とする、スイッチカバーの非常照明装置。
【請求項２】
前記回路基板１５に搭載される前記制御回路は、ＡＣ電源を供給するＡＣ電源部と、ＡＣ電源部と接続されて補助電源部を充電する充電部と、充電部から供給された補助電源を照明ランプに供給する補助電源部と、一般停電の可否を感知する停電感知部と、火災や地震などの非常事態を感知する非常感知部と、充電完了の可否及び各感知部の感知信号が入力される場合、非常警報音を発して照明ランプを点灯させる制御信号を出力する制御部と、非常電源部から電源を供給されて制御部の制御信号を通じて点灯される警報／照明作動部とからなることを特徴とする、請求項１に記載のスイッチカバーの非常照明装置。
【請求項３】
スイッチカバーの後面の中央に回路基板に装着した雌コネクタの後方部が突出するようにし、壁面の内部に設置した回路基板にスイッチカバーの雌コネクタに係合する雄コネクタを設置して前記スイッチカバーを壁面から着脱できるようにしたことを特徴とする、スイッチカバーの非常照明装置。
【発明の詳細な説明】
【技術分野】
【０００１】
本発明は、室内照明灯を点灯又は消灯する室内照明灯スイッチボタンを保護するスイッチカバー内に、平常時又は非常時に照明ランプを設置して、一般停電時や火災、地震などの非常停電時に室内を非常照明できるスイッチカバーの非常照明装置に関するものである。
【０００２】
本発明は、主に天井等に設置される室内照明灯の点灯又は消灯のために、壁面に設置されるスイッチボタンの外部に取付けられてスイッチボタンを保護するスイッチカバーに関するものである。
【背景技術】
【０００３】
通常、前記スイッチカバーはスイッチボタンが露出するボタン穴を形成する板状からなる。従来は前記スイッチカバーの位置を識別できる別途の照明がないため、暗い室内でスイッチボタンを探すのが不便であった。また、就寝時等には全ての事物を鮮明に見られる明るい照明よりは重要な事物の位置だけを確認できる仄かな照明が望ましいが、従来のスイッチカバーに周辺を仄かに照明できる手段がないため、別途の高価な就寝灯を設置したり、その他の補助照明を設置したりする例が多かった。
【０００４】
また、従来は、スイッチカバーに一般停電時や火災、地震などの非常停電時に室内を非常照明できる非常照明装置が全くないため、夜間に予期できない一般停電や火災、地震などの非常停電が発生すれば、突然に周囲のあらゆる事物を識別できなくなる。よって、大部分の人々が心理的に不安定になり、携帯用ライトや蝋燭などの補助照明の位置も容易に確認できなくなるという問題があった。
【発明の開示】
【発明が解決しようとする課題】
【０００５】
本発明は前記問題点に鑑みてなされたもので、その目的は、一般停電時や火災、地震などの非常事態時に室内を照明したり非常警報音を発することで、人々が心理的に安定して、慌てなくて携帯用ライトや蝋燭などの補助照明を探す等、非常事態に效率よく対処できるスイッチカバーの非常照明装置を提供することにある。
【０００６】
本発明の他の目的は、暗い室内で室内照明灯のスイッチボタンの位置を容易に確認できる勿論、就寝灯及びその他の補助照明として使用できるスイッチカバーの非常照明装置を提供することにある。
【課題を解決するための手段】
【０００７】
本発明は、前記目的を達成するために、スイッチカバー内に少なくとも一つ以上の照明ランプを設置し、その設置面に照明ランプの光が透過できるように透明窓を設置する。スイッチカバーの前面に照明ランプスイッチボタンを設ける同時に、スイッチカバー内に回路基板を設ける。この回路基板にＡＣ電源によって充電乾電池を充電する充電部と、一般停電の可否を感知する停電感知部と、火災や地震などの非常事態を感知する非常感知部と、充電完了の可否及び各感知部の感知信号が入力される場合、非常警報音を発生させて照明ランプを点灯させる制御信号を出力する制御部とからなる制御回路を設けることを特徴とする。
【発明の効果】
【０００８】
以上で説明したように、本発明は、壁面２０に設置されて室内照明灯スイッチボタン１１を保護するスイッチカバー１０内に照明ランプ１２を設置し、電源部、充電部、補助電源部、停電感知部、非常感知部、制御部及び警報／照明作動部からなる制御回路により、停電時に照明ランプ１２が自動点灯できると同時に、非常時に非常警報音が発生できるものである。本発明によれば、平素、スイッチカバー１０の照明ランプ１２を点灯すれば、室内照明灯スイッチボタン１１の位置を容易に確認でき、別途の就寝灯や補助照明なしも室内を仄かに照明でき、室内の重要な事物の位置を容易に識別できる効果が得られる。
【０００９】
また、本発明によれば、予期できない停電が発生しても、スイッチカバー１０の照明ランプ１２の点灯により、大部分の事物の位置を識別できるため、心理的に安定になる勿論、火災や地震などの非常事態が発生した場合、非常警報音を発して速かに事故に対処できる等の効果が得られる。
【発明を実施するための最良の形態】
【００１０】
以下、添付図面に基づき、本発明の好適実施例を詳細に説明する。
図１は本発明の一実施例のスイッチカバーの斜視図、図２及び図３は本発明の一実施例のスイッチカバーの縦断面図及び背面図、図６は本発明の他の実施例のスイッチカバーの縦断面である。
【００１１】
本発明のスイッチカバー１０は、前面の上部の天井などに設置される室内照明灯を点灯又は消灯する室内照明灯スイッチボタン１１が前面に少なくとも一つ以上設置され、内部の少なくとも一面に照明ランプ１２が設置される同時に、その設置面に照明ランプ１２の光が透過できるように透明窓１３が設置される。また、その前面の下部に前記照明ランプ１２を点灯又は消灯させる照明ランプスイッチボタン１４が設置され、内部に制御回路が搭載され、充電乾電池１６を備える回路基板１５が設置される。
【００１２】
一方、図７には、本発明のまた他の実施例が示されているところ、このまた他の実施例によれば、壁面２０から充電乾電池１６及び証明ランプ１が内蔵されたスイッチカバー１０を着脱自在に設置するためにスイッチカバー１０の後面の中央に回路基板１５に装着した雌コネクタ１７の後方部が突出するようにし、壁面２０の内部に設置した回路基板２１にスイッチカバーの雌コネクタ１７に係合する雄コネクタ２７を設置し、このまた他の実施例によれば、必要に応じて壁面からスイッチカバー１０を取り外して懐中電燈のように使用することもできる。
【００１３】
図１乃至図３に示す本発明の一実施例は、スイッチカバー１０内の下部に照明ランプ１２を設置し、その設置面に透明窓１３を設置したものである。図６に示す本発明の他の実施例は、スイッチカバー内の上下部に各々照明ランプ１２を設置し、その設置面の各々に透明窓１３を設置したものである。よって、本発明における照明ランプ１２と透明窓１３の設置位置及び設置個数は、予測できる多様な形態で変形・実施が可能である。
【００１４】
一方、図４は本発明の一実施例の制御回路を示し、図５は本発明の一実施例の作動流れ図を示す。本発明の制御回路は、ＡＣ電源を供給する電源部と、電源部と接続されて補助電源部を充電する充電部と、充電部から供給された補助電源を照明ランプに供給する補助電源部と、一般停電の可否を感知する停電感知部と、火災や地震などの非常事態を感知する非常感知部と、充電完了の可否及び各感知部の感知信号が入力される場合、非常警報音を発生させて照明ランプを点灯させる制御信号を出力する制御部と、非常電源部から電源を供給され、制御部の制御信号を通じて点灯される警報／照明作動部とからなる。
【００１５】
前記のように構成された本発明は、平常時、スイッチカバー１０の前面に具備された照明ランプスイッチボタン１４にて照明ランプ１２を点灯させれば、透明窓１３に透過される照明ランプ１２の光がスイッチカバー１０の下部の空間を明るくするので、夜間にスイッチカバー１０及びそれに設置された室内照明灯スイッチボタン１１の位置を容易に確認する。よって、他の室内照明灯なしも室内の重要な物体の位置などを容易に識別できる勿論、室内を仄かに照明できるため、就寝灯やその他の補助照明の役割を充分果たすことができる。
【００１６】
一方、本発明の制御回路の制御部では、充電容量を点検して、補助電源部の充電量が不足な時は、充電部を作動させて常に充分な補助電源が確保できるようにする。
【００１７】
また、本発明では、停電が発生して停電感知部から制御部に停電信号を出力すれば、制御部で警報／照明作動部を作動して、充電部で充電された補助電源部の補助電源により照明ランプを作動させる。火災や地震などの非常事態が発生して非常感知部から制御部に非常信号を出力すれば、制御部で警報／照明作動部を作動して、非常警報音を発生させる同時に、照明ランプ１２を通した非常照明を照射して、非常事態に対する迅速な対応措置を行うことができる。
【図面の簡単な説明】
【００１８】
【図１】本発明の一実施例の斜視図である。
【図２】本発明の一実施例の縦断面図である。
【図３】本発明の一実施例の背面図である。
【図４】本発明の一実施例の制御回路の構成図である。
【図５】本発明の一実施例の作動流れ図である。
【図６】本発明の他の実施例の縦断面図である。
【図７】本発明のまた他の実施例の縦断面図である。
【符号の説明】
【００１９】
１０  スイッチカバー
１１  室内照明灯スイッチボタン
１２  照明ランプ
１３  透明窓
１４  照明ランプのスイッチボタン
１５  回路基板
１６  充電乾電池
１７  雌コネクタ
２０  壁面
２１  回路基板
２７  雄コネクタ
【図１】
2005032729.tif 000003
【図２】
2005032729.tif 000004
【図３】
2005032729.tif 000005
【図４】
2005032729.tif 000006
【図５】
2005032729.tif 000007
【図６】
2005032729.tif 000008
【図７】
2005032729.tif 000009